(57)【特許請求の範囲】
【請求項１】
地上デジタルテレビジョン放送及び衛星デジタル放送が受信されるデジタル放送受信装置であって、
地上デジタルテレビジョン放送を受信するための地上デジタルチューナーと、
衛星デジタル放送を受信するための衛星デジタルチューナーと、
前記地上デジタルチューナーからの出力が供給され、前記地上デジタルテレビジョン放送の受信信号を復調することが可能であると共に、前記衛星デジタルチューナーからの出力が供給され、前記衛星デジタル放送の受信信号を復調することが可能な復調部と、
前記復調部に含まれ、前記地上デジタルチューナーを制御する地上デジタルチューナー制御部と、
前記復調部に含まれ、前記衛星デジタルチューナーを制御する衛星デジタルチューナー制御部と、
前記地上デジタルチューナー制御部から前記地上デジタルチューナーへの制御信号及び前記衛星デジタルチューナー制御部から前記衛星デジタルチューナーへの制御信号の前記復調部からの出力端子を、前記復調部に対する前記地上デジタルチューナーと前記衛星デジタルチューナーの配置位置に応じて、前記復調部内部で切り替える切替部と、
を備えたことを特徴とするデジタル放送受信装置。
【請求項２】
請求項１に記載のデジタル放送受信装置において、
前記復調部の外部に、前記切替部の切り替え状態の設定をする制御部を設け、
前記制御部に、予め設定された前記地上デジタルチューナーと前記衛星デジタルチューナーの型式に基づく切り替え状態の設定がされる
ことを特徴とするデジタル放送受信装置。
【請求項３】
請求項２に記載のデジタル放送受信装置において、
前記地上デジタルチューナーと前記衛星デジタルチューナーの型式に応じて、前記制御信号が入力される端子位置が変化する
ことを特徴とするデジタル放送受信装置。
【請求項４】
請求項１に記載のデジタル放送受信装置において、
前記復調部の内部に、前記切替部の切り替え状態の設定をする設定端子を設け、
前記設定端子に、予め設定された前記地上デジタルチューナーと前記衛星デジタルチューナーの切り替え状態の設定のための電位が付与される
ことを特徴とするデジタル放送受信装置。
【請求項５】
請求項１に記載のデジタル放送受信装置において、
前記復調部の内部に、前記切替部の切り替え状態の設定をする設定部を設け、
前記復調部の外部に、前記設定部の設定を制御する制御部を設ける
ことを特徴とするデジタル放送受信装置。
【請求項６】
請求項１に記載のデジタル放送受信装置において、
前記切替部は、前記制御信号の種類に対応して複数設ける
ことを特徴とするデジタル放送受信装置。
【請求項７】
請求項１に記載のデジタル放送受信装置において、
前記制御信号は、前記地上デジタルテレビジョン放送の受信信号をデジタル信号に変換すると共に、前記衛星デジタル放送の受信信号をデジタル信号に変換する際の、ダイナミックレンジを調整するためのＡＧＣ信号であって、
前記地上デジタルチューナーと前記衛星デジタルチューナーの選局又は通過帯域を制御するものである
ことを特徴とするデジタル放送受信装置。
【請求項８】
請求項１に記載のデジタル放送受信装置において、
前記制御信号は、前記地上デジタルチューナー制御部及び前記衛星デジタルチューナーからの設定情報を含む通信情報である
ことを特徴とするデジタル放送受信装置。
【発明の詳細な説明】
【技術分野】
【０００１】
本発明は、衛星デジタル放送と地上デジタル放送の両方を受信することが可能なデジタル放送受信装置に関するものである。
【背景技術】
【０００２】
近年、放送のデジタル化が進んでおり、既に衛星デジタル放送は２０００年からＳＨＦ帯を使用して実施されている。また、２００３年１２月から地上デジタルテレビジョン放送がＵＨＦ帯を使用して開始され、更に、２０１１年放送開始に向けて、地上デジタル音声放送の実験放送もＶＨＦ帯を使用して開始された。
【０００３】
衛星デジタル放送のサービス形態においては、各放送事業者Ａ、放送事業者Ｂ等により作成された番組は、ＭＰＥＧ−２（Motion Picture Experts Group-2）のトランスポートストリーム（ＴＳ：Transport Stream）の形態でアップリンクセンターに送られ、このアップリンクセンターで時分割多重化されて送信局に送られる。送信局では、所定周波数の搬送波が時分割多重化されたトランスポートストリームで変調されて送信信号が形成され、送信アンテナを介して放送衛星（ＢＳ：Broadcast Satellite）に向けて送信される。
【０００４】
放送衛星においては、送信局から送られてきた送信信号が衛星デジタル放送の放送帯域の周波数に変換された後に増幅されて、地上に向けて送信される。送信局から送られた送信信号は、受信アンテナで受信されて衛星デジタル放送受信装置に供給される。なお、現時点（２００４年）では、日本では衛星デジタル放送用に四つのチャンネル、すなわち四つの搬送周波数が使用されている。
【０００５】
衛星デジタル放送において使用されるチャンネルと周波数の関係は、日本の衛星放送に対しては１２ＧＨｚ帯が割り当てられており、この中のチャンネル１（ＢＳ１）、チャンネル３、チャンネル１３、チャンネル１５がデジタル放送用に使用されている。
【０００６】
衛星デジタル放送においては、放送衛星内に設けられた各チャンネルに対応した複数のトランポンダを使用して、放送信号の再送信が行われる。１チャンネル分の放送信号は、１個のトランポンダを使用して衛星から送信され、衛星放送のチャンネルが八つ存在する場合には、衛星デジタル放送用に８個のトランポンダが使用される。現在、そのうちの４チャンネル分が衛星デジタル放送用として使用され、４チャンネル分が衛星アナログ放送用として使用されている。
【０００７】
衛星デジタル放送の１チャンネル分の放送信号の中には、複数の放送サービスが含まれている。
チャンネル１（ＢＳ１）に含まれる放送サービスの種類として、チャンネル１（ＢＳ１）で伝送される信号は、複数のトランスポートストリームに分割され、それぞれのトランスポートストリームを各放送事業者に割り当てて放送が行われている。チャンネル１（ＢＳ１）には、テレビジョン放送、音声放送、データ放送が混在している。
【０００８】
衛星デジタル放送の各チャンネルはその周波数が異なっているので、衛星デジタル放送受信装置においては、受信を希望するチャンネルの周波数の信号が受信されるように、衛星デジタル放送受信装置に内蔵されたチューナーを制御することにより、チャンネル１（ＢＳ１）の放送信号が受信できる。
【０００９】
先に説明したように、チャンネル１（ＢＳ１）の放送信号のトランスポートストリームには、テレビジョン放送、音声放送、データ放送の情報が含まれているので、チャンネル１（ＢＳ１）の放送信号の全部のトランスポートストリームを受信し、所定部分のトランスポートストリームのみを抽出して復号する。
【００１０】
これにより、１種類のチューナーで、テレビジョン放送、音声放送、データ放送のいずれも受信することができる。したがって、衛星デジタル放送受信装置においては、テレビジョン放送を受信するための回路を使用して音声放送とデータ放送の受信が可能となる。
【００１１】
この衛星デジタル放送受信装置と同様に、地上デジタル放送を受信する地上デジタル放送受信機においても、１種類のチューナーで、テレビジョン放送、音声放送、データ放送のいずれも受信することができるように構成されていた。
【００１２】
図１６に従来のデジタル放送受信装置のチューナー回路と復調回路の概略図を示す。従来のデジタル放送受信装置では、地上デジタル放送用チューナー回路１５１と、衛星デジタル放送用チューナー回路１５２と、その２方式の受信信号のＩＦ（中間周波）信号１６６，１６９を復調することができる復調回路１５３の３つの回路を搭載する。
【００１３】
この２方式の受信信号のＩＦ（中間周波）信号１６６，１６９は、いずれもアナログ信号であるため、復調回路１５３の前処理でＡ／Ｄ変換回路１６０，１６２によりデジタル信号に変換される。変換されたデジタル信号に対して復調回路１５３が復調処理を施す。復調回路１５３には、回路内部の制御を行うために地上デジタル放送用チューナー回路制御ブロック１５４と、衛星デジタル放送用チューナー回路制御ブロック１５５とが設けられている。
【００１４】
このとき、地上デジタル放送用チューナー回路制御ブロック１５４と、衛星デジタル放送用チューナー回路制御ブロック１５５には、ＡＧＣ（Automatic Gain Control）１６１，１６３が設けられている。ＡＧＣ１６１，１６３のＡＧＣ信号は、端子１５６、１５８を介して、地上デジタル放送用チューナー回路１５１と、衛星デジタル放送用チューナー回路１５２とにそれぞれフィードバックされている。チューナー回路１５１内にある中間周波数増幅回路と、チューナー回路１５２内にある中間周波数増幅回路にＡＧＣ信号が渡され、それぞれの増幅回路で自動的に最適な振幅となるように制御する。ＩＦ信号の振幅が最適になる制御を行った結果、Ａ／Ｄ変換回路１６０，１６２のダイナミックレンジＤＲを広げる効果がある。
【００１５】
また、各種設定データなどのシリアル通信信号１６５は、端子１５６、１５８を介して、地上デジタル放送用チューナー回路１５１及び衛星デジタル放送用チューナー回路１５２と、地上デジタル放送用チューナー回路制御ブロック１５４及び衛星デジタル放送用チューナー回路制御ブロック１５５との間で双方向に通信可能とされている。
【００１６】
また、デジタル復調回路の端子の入れ替えが可能なデジタル復調回路が提案されている（特許文献１参照）。すなわち、２つの番組の受信を所望する場合、この２つの番組が異なる周波数チャネルにある場合は、２系統のチューナー部が出力する各々のベースバンド信号（Ｉ信号、Ｑ信号）が２系統の復調部にそれぞれ供給される。
【００１７】
また、受信を所望する２つの番組が同一の周波数チャネルにある場合は、いずれか１系統のチューナー部の出力するベースバンド信号（Ｉ信号、Ｑ信号）が２系統の復調部に分配されて供給されるようにベースバンド信号（Ｉ信号、Ｑ信号）を切り替えるように信号切替回路が動作する。
【００１８】
【特許文献１】特開２００３−１２５３０２号公報
【発明の開示】
【発明が解決しようとする課題】
【００１９】
上述した図１６に示すデジタル放送受信装置を構成する場合、以下のような制限がある。
すなわち、地上デジタル放送用チューナー回路１５１と、衛星デジタル放送用チューナー回路１５２との２つのチューナーを制御する端子１５６、１５７、１５８、１５９が復調回路１５３内に固定配置されている。
【００２０】
このため、地上デジタル放送用チューナー回路１５１と、衛星デジタル放送用チューナー回路１５２と、復調回路１５３の３つの回路の配置の自由度がなくなる。
ここで、図１７と図１８を使って配置の自由度がなくなる例を説明する。
図１７に示す従来の他のデジタル放送受信装置では、地上デジタル放送用チューナー回路１７１と、衛星デジタル放送用チューナー回路１７２と、復調回路１７３のそれぞれの端子の配置が異なっている。
【００２１】
このため、ＩＦ信号１７６、１７９は、地上デジタル放送用チューナー回路１７１と復調回路１７３の対向する端辺、衛星デジタル放送用チューナー回路１７２と復調回路１７３の対向する端辺同士で配線が可能である。
シリアル通信信号１７４、１７７とＡＧＣ信号１７５、１７８は、地上デジタル放送用チューナー回路１７１と復調回路１７３の対向しない端辺、衛星デジタル放送用チューナー回路１７２と復調回路１７３の対向しない端辺同士でしか配線ができないが、それぞれの信号線が交差することなく、引き回しの長さも最低限に抑えられている。
【００２２】
一方、図１８に示す従来の他のデジタル放送受信装置では、地上デジタル放送用チューナー回路１８１と、衛星デジタル放送用チューナー回路１８２と、復調回路１８３の回路の配置が異なっている。地上デジタル放送用チューナー回路１８１と、衛星デジタル放送用チューナー回路１８２と、復調回路１８３の回路の端子の位置は固定であるため、図１７と同じ配置になっている。
【００２３】
端子が固定であるため、シリアル通信信号１８４、１８７とＡＧＣ信号１８５、１８８は、配線の引き回しが不要に長くなる。ここで、シリアル通信信号１８４、１８７とＡＧＣ信号１８５、１８８は、デジタル信号線のため、ＩＦ信号１８６、１８９のアナログ信号線と交差する配線になることは好ましくない。これは、シリアル通信信号１８４、１８７とＡＧＣ信号１８５、１８８のデジタル信号線が、ＩＦ信号１８６、１８９のアナログ信号線に対して、信号の干渉のおそれがあるためである。上記のようなＩＦ信号との交差を避ける配線の引き回しをするために、不要に配線が長くなっている。
【００２４】
また、ＩＦ信号との交差を避けるため、地上デジタル放送用チューナー回路向けシリアル通信信号とＡＧＣ信号と、衛星デジタル放送用チューナー回路向けシリアル通信信号とＡＧＣ信号とが交差してしまっている。デジタル信号線同士であるが、ＩＦ信号との交差と同様に、信号の干渉のおそれがあるため、このような配線は好ましくない。
【００２５】
このように地上デジタル放送用チューナー回路１８１と、衛星デジタル放送用チューナー回路１８２と、復調回路１８３の３つの回路相互の配置が悪いとチューナー制御用の信号線の配線が困難であった。これは、復調回路内の２つのチューナーを制御するための端子が固定配置されているためである。
【００２６】
また、上述した特許文献１に記載の技術のように、以下のような課題が発生する。
すなわち、特許文献１に記載の技術は、チューナーから復調回路に供給されるベースバンド信号（Ｉ信号、Ｑ信号）を信号切替回路が切り替えるものである。
【００２７】
しかし、これでは、上述した図１７、図１８に示した復調回路からチューナーにフィードバックされる制御信号を切り替えることができない。このため、上述と同様に、制御信号の配線の引き回しが不要に長くなる。また、制御信号のデジタル信号線が、ベースバンド信号（Ｉ信号、Ｑ信号）のアナログ信号線に対して、信号の干渉のおそれがある。
【００２８】
また、特許文献１に記載の技術の場合、２個のチューナーは同じ受信方式（衛星デジタル放送用）のものである。
しかし、これでは、上述した図１６に示したように、２個のチューナーが地上デジタル放送用受信方式と衛星デジタル放送用受信方式という異なる受信方式のものには適用することができない。
【００２９】
また、特許文献１に記載の技術の場合、チューナーから復調回路に供給されるベースバンド信号（Ｉ信号、Ｑ信号）を信号切替回路により切替えた場合であっても、上述した図１６に示した地上デジタル放送用チューナー回路１５１と、衛星デジタル放送用チューナー回路１５２と、復調回路１５３の３つの回路の配置の自由度が同様に制限される。
【００３０】
そこで、本発明は、地上デジタル放送用チューナー回路と、衛星デジタル放送用チューナー回路と、復調回路の３つの回路の配置の自由度を広げると共に、受信信号に対する制御信号の干渉をなくすことを目的とするものである。
【課題を解決するための手段】
【００３１】
本発明は、上記目的を達成するために、本発明のデジタル放送受信装置は、地上デジタルテレビジョン放送を受信するための地上デジタルチューナーと、衛星デジタル放送を受信するための衛星デジタルチューナーと、地上デジタルチューナーからの出力が供給され、地上デジタルテレビジョン放送の受信信号を復調することが可能であると共に、衛星デジタルチューナーからの出力が供給され、衛星デジタル放送の受信信号を復調することが可能な復調部とを備えている。
【００３２】
また、本発明のデジタル放送受信装置は、復調部に含まれ、地上デジタルチューナーを制御する地上デジタルチューナー制御部と、復調部に含まれ、衛星デジタルチューナーを制御する衛星デジタルチューナー制御部と、地上デジタルチューナー制御部からの制御信号及び衛星デジタルチューナー制御部からの制御信号の復調部からの出力端子を、復調部に対する地上デジタルチューナーと衛星デジタルチューナーの配置位置に応じて、復調部内部で切り替える切替部とを備えたものである。
【００３３】
本発明によれば、地上デジタルチューナーと衛星デジタルチューナーの２つのチューナーを制御するための制御信号の復調部からの出力端子を、復調部内部の切替部で切り替えることができる機能を有している。
【００３４】
これにより、地上デジタル放送用チューナー回路と、衛星デジタル放送用チューナー回路と、その２方式の受信信号を受信することができる復調回路の３つの回路を搭載するシステムを構成する場合に、復調回路内の２つのチューナーを制御する制御信号の復調部からの出力端子を切替えることができる。
【００３５】
このとき、復調部に対する地上デジタルチューナーと衛星デジタルチューナーの配置位置に応じて、制御信号の配線が無駄な引き回しなく、しかも、受信信号の配線と制御信号の配線とが交差することによる受信信号に対する制御信号の干渉をなくすことができる。
従って、３つの回路の配置の自由度が向上し、また、３つの回路の配置に関わらずチューナー制御用の制御信号線の配線が可能となる。
【発明の効果】
【００３６】
本発明によれば、地上デジタル放送用チューナー回路と、衛星デジタル放送用チューナー回路と、その２方式の受信信号を受信することができる復調回路の３つの回路の配置の自由度を向上させることができるという効果を奏する。
従って、システム全体の小型化、低価格化、信頼性の向上を図ることができる。
【発明を実施するための最良の形態】
【００３７】
以下、本発明の一実施の形態を、図１〜１５を参照して説明する。
図１は、本実施の形態例のデジタル放送受信装置を示すブロック図を示している。
【００３８】
なお、図１に示す受信装置は、アナログ放送も受信可能であるが、デジタル放送の受信が主体であるので、ここではデジタル放送受信装置と称する。また、説明を簡単にするために、ここでは通信衛星（ＣＳ：Communication Satellite）による衛星デジタル放送の受信系については、説明を省略している。
【００３９】
ＶＨＦ帯（９０ＭＨｚ〜２２０ＭＨｚ）およびＵＨＦ帯（４４０ＭＨｚ〜７７０ＭＨｚ）で送信される地上アナログテレビジョン放送信号は、ＶＨＦアンテナ１およびＵＨＦアンテナ２で受信されて地上デジタルチューナー３に供給される。また、ＵＨＦ帯で送信される地上デジタルテレビジョン放送信号は、ＵＨＦアンテナ２で受信されて地上デジタルチューナー３に供給され、ＶＨＦの第７チャンネルで送信される地上デジタル音声放送信号は、ＶＨＦアンテナ１で受信されて地上デジタルチューナー３に供給される。
【００４０】
図２は、地上デジタルチューナー３の内部構成を示すブロック図である。
地上デジタルチューナー３は、ＶＨＦアンテナ１およびＵＨＦアンテナ２から供給される信号を増幅する高周波増幅回路３ａ、局部発振信号を発生する局部発振回路３ｂ、高周波増幅回路３ａの出力信号と局部発振回路３ｂからの局部発振信号を混合して中間周波信号を出力する混合回路３ｃ、を備えている。
【００４１】
また、地上デジタルチューナー３は、外部からの制御信号により通過帯域幅を４ＭＨｚと６ＭＨｚとの間で変更することができる可変帯域幅フィルタ３ｉと、可変帯域幅フィルタ３ｉの出力信号が供給される中間周波増幅回路３ｇ、上記した高周波増幅回路３ａと局部発振回路３ｂと切換部３ｄの動作を制御する選局回路３ｈを備えている。
【００４２】
上記地上デジタルチューナー３では、入力されたＶＨＦ帯（９０ＭＨｚ〜２２０ＭＨｚ）およびＵＨＦ帯（４４０ＭＨｚ〜７７０ＭＨｚ）の中の所望のチャンネルすなわち周波数の信号が、所定の周波数の、例えば５７ＭＨｚの中間周波信号に変換される。すなわち、地上デジタルチューナー３は、基本的には、従来の地上アナログテレビジョン放送受信用のＶＨＦ／ＵＨＦチューナーと同様な機能を有する。
【００４３】
ＶＨＦ帯（９０ＭＨｚ〜２２０ＭＨｚ）およびＵＨＦ帯（４４０ＭＨｚ〜７７０ＭＨｚ）で送信される地上デジタルテレビジョン放送の受信時には、地上デジタルチューナー３からの中間周波信号は、ＯＦＤＭ復調部７に供給されてＯＦＤＭ信号が復調され、ＭＰＥＧのトランスポートストリームＴＳ１が得られる。このトランスポートストリームＴＳ１は、トランスポートストリーム用の切換部８の一方の入力に供給される。
【００４４】
ＳＨＦ帯（１２ＧＨｚ）で送信される衛星デジタルテレビジョン放送信号は、ＳＨＦアンテナ９で受信され、図示しないＬＮＢ（low noise block）コンバータで１ＧＨｚ帯の中間周波信号に変換されて衛星デジタルチューナー１０に供給される。
【００４５】
衛星デジタルチューナー１０では、入力された１ＧＨｚ帯の中間周波信号の中の所望のチャンネルすなわち周波数の信号が、ダイレクトコンバージョンにより、Ｉ信号とＱ信号に変換され、これらの信号はＱＰＳＫ復調部１１に供給されてＱＰＳＫ信号が復調され、ＭＰＥＧのトランスポートストリームＴＳ２が得られる。このトランスポートストリームＴＳ２は、切換部８の他方の入力に供給される。
【００４６】
トランスポートストリーム用の切換部８のトランスポートストリーム出力は、デマルチプレクサ１２に供給され、トランスポートストリームに時分割的に多重して含まれている映像データ、音声データ、放送データなどが分離される。
【００４７】
デマルチプレクサ１２で分離された映像データおよび音声データは、ＭＰＥＧデコーダ１３に供給され、復号されて映像信号と音声信号が得られる。ＭＰＥＧデコーダ１３からの映像信号は、映像処理部１４に供給され、音声信号は音声処理部１５に供給される。
【００４８】
映像信号は、映像処理部１４に供給されると、所定の画像処理を受けてＣＲＴ（Cathode Ray Tube)、ＬＣＤ(Liquid Crystal Display）、ＰＤＰ（Plasma Display Panel）などの映像出力装置１５に供給される。また、音声信号は、音声処理部１６に供給されると、所定の音声処理を受けてスピーカなどの音声出力装置１７に供給される。
【００４９】
デマルチプレクサ１２で分離されたデータ放送用の放送データは、放送データ処理部１８に供給され、ユーザの指定に応じた所定の処理、例えばＥＰＧ表示処理等の処理を受ける。映像データ生成部１９には、放送データ処理部１８からの制御信号が供給され、映像データ生成部１９において、映像出力装置１５で所定の画像を表示させるための画像信号が生成される。映像データ生成部１９からの画像信号は、映像処理部１４において、放送信号の映像信号と合成される。
【００５０】
上記したデジタル放送受信装置全体の制御は、マイクロプロセッサ等により実現される制御部４により行われる。図１に示す実施態様においては、制御部４により、地上デジタルチューナー３、衛星デジタルチューナー１０、および切換部８の動作が制御されるようになっているが、図示されていないこれ以外の回路部分も制御部４により制御される。
【００５１】
制御部４には遠隔操作信号受信部５が接続されており、遠隔操作信号送信器６からの遠隔制御信号が遠隔操作信号受信部５で受信されて、遠隔制御信号の内容が判別され、ユーザの指示に応じた制御が制御部４で行われる。
【００５２】
制御部４からは、地上デジタルチューナー３と衛星デジタルチューナー１０に対して選局データが供給され、チューナーの切り換えとチャンネルの切り換えが行われる。
ここでは、上述したＯＦＤＭ復調部７、ＱＰＳＫ復調部１１、切換部８、デマルチプレクサ１２、ＭＰＥＧデコーダ１３及び放送データ処理部１８を、地上デジタルチューナー３又は衛星デジタルチューナー１０受信した中間周波信号を復調する復調部２３とする。
【００５３】
次に、上述したデジタル放送受信装置の動作について説明する。
まず、地上デジタルテレビジョン放送信号を受信する場合について説明する。
例えば、ＵＨＦの第２７チャンネルで送信されている地上デジタルテレビジョン放送信号を受信する場合には、最初に、遠隔操作信号送信器６の地上デジタル放送ボタンをオンとした後に、チャンネル選択ボタンの中のＵＨＦの第２７チャンネルに対応したボタンを押す。
【００５４】
遠隔操作信号送信器６からは、押されたボタンの種類に対応した遠隔制御信号が順次送信され、これらの遠隔制御信号が、図１に示される遠隔操作信号受信部５で受信され、押されたボタンの種類に対応した制御データに変換されて制御部４に供給される。
【００５５】
制御部４では、遠隔操作信号受信部５から供給される制御データの内容が判別され、制御データが地上デジタル放送ボタンに対応するものである場合には、制御部４から地上デジタルチューナー３と衛星デジタルチューナー１０に、地上デジタルチューナー３を動作可能とする選局データが供給され、地上デジタルチューナー３のみが動作可能となる。また、制御部４からの信号経路切換信号により、切換部８がＯＦＤＭ復調部７の側に切り換えられる。
【００５６】
また、制御データが第２７チャンネルに対応したボタンに対応するものである場合には、制御部４から地上デジタルチューナー３と衛星デジタルチューナー１０に、第２７チャンネルの受信を指示する選局データが供給され、地上デジタルチューナー３により第２７チャンネルが受信される。
【００５７】
地上デジタルチューナー３の動作について、さらに詳細に説明すると、図２に示されるように、制御部４から地上デジタルチューナー３に対して第２７チャンネルの受信を指示する選局データが供給されると、この選局データは選局回路３ｈに供給される。選局回路３ｈからは、高周波増幅回路３ａと局部発振回路３ｂに対して第２７チャンネルを受信するのに適した共振周波数に設定するための制御電圧が供給される。したがって、混合回路３ｃからは、第２７チャンネルの放送内容に対応した中間周波信号が出力される。
【００５８】
初期状態においては、可変帯域幅フィルタ３ｉは、６ＭＨｚの通過帯域幅を有しているので、地上デジタルテレビジョン放送の信号の全帯域の周波数成分が劣化することなく通過する。
【００５９】
可変帯域幅フィルタ３ｉを通過した信号は、中間周波増幅回路３ｇにより所望のレベルまで増幅されて、図１に示すＯＦＤＭ復調部７に供給される。ＯＦＤＭ復調部７においては、ＯＦＤＭ復調によりＭＰＥＧのトランスポートストリームＴＳ１が得られ、このトランスポートストリームＴＳ１が切換部８に供給される。
【００６０】
このとき切換部８は、ＯＦＤＭ復調部７の側に切り換えられているので、ＯＦＤＭ復調部７からのトランスポートストリームＴＳ１は、切換部８を介してデマルチプレクサ１２に供給され、映像部分、音声部分、データ部分に分離されてそれぞれ抽出される。映像部分と音声部分はＭＰＥＧデコーダ１３に供給されてそれぞれ復号され、映像信号と音声信号が出力され、映像処理部１４と音声処理部１５に供給される。
【００６１】
映像信号は映像処理部１４に供給されると所定の画像処理を受けた後に映像出力装置１５に供給される。また、音声信号は、音声処理部１６に供給されると所定の音声処理を受けた後に音声出力装置１７に供給される。これにより、ユーザは第２７チャンネルで放送されている地上デジタルテレビジョン放送の番組を視聴することができる。
【００６２】
また、デマルチプレクサ１２で分離されたデータ部分は、放送データ処理部１８に供給されて放送データの内容に応じた制御信号が生成される。この制御信号は、映像データ生成部１９に供給されて放送データの内容に応じた画像信号が生成されて、この画像信号は映像処理部１４に供給されて、放送番組の映像信号と合成される。したがって、ユーザはデータ放送の内容を見ることができる。
【００６３】
次に、地上デジタル音声放送信号を受信する場合について説明する。
例えば、ＶＨＦの第７チャンネルで送信されている地上デジタル音声放送信号を受信する場合には、最初に、遠隔操作信号送信器６の地上デジタル放送ボタンをオンとした後に、サービスモードボタンを１回押す。
【００６４】
遠隔操作信号送信器６からは、押されたボタンの種類に対応した遠隔制御信号が順次送信され、これらの遠隔制御信号が、図１に示される遠隔操作信号受信部５で受信され、押されたボタンの種類に対応した制御データに変換されて制御部４に供給される。
【００６５】
制御部４では、遠隔操作信号受信部５から供給される制御データの内容が判別され、制御データが地上デジタル放送ボタンに対応するものである場合には、制御部４から地上デジタルチューナー３と衛星デジタルチューナー１０に、地上デジタルチューナー３を動作可能とする選局データが供給され、地上デジタルチューナー３のみが動作可能となる。また、制御部４からの信号経路切換信号により、切換部８がＯＦＤＭ復調部７の側に切り換えられる。
【００６６】
また、制御データが地上デジタル音声放送に対応したボタンに対応するものである場合には、制御部４から地上デジタルチューナー３と衛星デジタルチューナー１０に、第７チャンネルの受信を指示する選局データが供給され、地上デジタルチューナー３により第７チャンネルが受信される。
【００６７】
地上デジタルチューナー３の動作について、さらに詳細に説明すると、図２に示されるように、制御部４から地上デジタルチューナー３に対して第７チャンネルの受信を指示する選局データが供給されると、この選局データは選局回路３ｈに供給される。選局回路３ｈからは、高周波増幅回路３ａと局部発振回路３ｂに対して第７チャンネルを受信するのに適した共振周波数に設定するための制御電圧が供給される。したがって、混合回路３ｃからは、第７チャンネルの放送内容に対応した中間周波信号が出力される。
【００６８】
制御部４から地上デジタルチューナー３に対して、選局データが供給される。したがって、混合回路３ｃからの中間周波信号は可変帯域幅フィルタ３ｉに供給される。可変帯域幅フィルタ３ｉは、４ＭＨｚの通過帯域幅を有しているので、地上デジタル音声放送の信号の全帯域の周波数成分が劣化することなく通過するとともに、隣接するチャンネルの放送信号が混入することはない。
【００６９】
可変帯域幅フィルタ３ｉを通過した信号は、中間周波増幅回路３ｇにより所望のレベルまで増幅されて、図１に示すＯＦＤＭ復調部７に供給される。ＯＦＤＭ復調部７においては、ＯＦＤＭ復調によりＭＰＥＧのトランスポートストリームＴＳ１が得られ、このトランスポートストリームＴＳ１が切換部８に供給される。
【００７０】
このとき切換部８は、ＯＦＤＭ復調部７の側に切り換えられているので、ＯＦＤＭ復調部７からのトランスポートストリームＴＳ１は、切換部８を介してデマルチプレクサ１２に供給され、音声部分が分離されて抽出される。音声部分はＭＰＥＧデコーダ１３に供給されてそれぞれ復号され、音声信号が出力され、音声処理部１６に供給されて所定の音声処理を受けた後に音声出力装置１７に供給される。これにより、ユーザは第７チャンネルで放送されている地上デジタル音声放送の番組を聴取することができる。
【００７１】
次に、衛星デジタルテレビジョン放送信号を受信する場合について説明する。
例えば、ＳＨＦの第１チャンネル（ＢＳ１）で送信されているサービスＩＤ１５１ｃｈのＢＳデジタルテレビジョン放送信号を受信する場合には、最初に、遠隔操作信号送信器６のＢＳデジタル放送ボタンをオンとする。
【００７２】
この後に、チャンネル選択ボタンの中の数字の５が記入されたボタン、すなわち、サービスＩＤ１５１ｃｈに対応したボタンを押す。遠隔操作信号送信器６からは、押されたボタンの種類に対応した遠隔制御信号が順次送信される。これらの遠隔制御信号が、図１に示される遠隔操作信号受信部５で受信され、押されたボタンの種類に対応した制御データに変換されて制御部４に供給される。
【００７３】
制御部４では、遠隔操作信号受信部５から供給される制御データの内容が判別され、制御データがＢＳデジタル放送ボタンに対応するものである場合には、制御部４から地上デジタルチューナー３と衛星デジタルチューナー１０に、衛星デジタルチューナー１０を動作可能とする選局データが供給され、衛星デジタルチューナー１０のみが動作可能となる。また、制御部４からの信号経路切換信号により、切換部８がＱＰＳＫ復調部１１の側に切り換えられる。
【００７４】
また、制御データがＳＨＦの第１チャンネルに対応したボタンに対応するものである場合には、制御部４から地上デジタルチューナー３と衛星デジタルチューナー１０に、ＳＨＦの第１チャンネルの受信を指示する選局データが供給され、衛星デジタルチューナー１０によりＳＨＦの第１チャンネルが受信される。衛星デジタルチューナー１０の出力は、図１に示すＱＰＳＫ復調部１１に供給される。ＱＰＳＫ復調部１１においては、ＱＰＳＫ復調によりＭＰＥＧのトランスポートストリームＴＳ２が得られ、このトランスポートストリームＴＳ２が切換部８に供給される。
【００７５】
このとき切換部８は、ＱＰＳＫ復調部１１の側に切り換えられているので、ＱＰＳＫ復調部１１からのトランスポートストリームＴＳ２は、切換部８を介してデマルチプレクサ１２に供給され、映像部分、音声部分、データ部分に分離されてそれぞれ抽出される。映像部分と音声部分はＭＰＥＧデコーダ１３に供給されてそれぞれ復号され、映像信号と音声信号が出力され、映像処理部１４と音声処理部１５に供給される。
【００７６】
映像信号は映像処理部１４に供給されると所定の画像処理を受けた後に映像出力装置１６に供給される。また、音声信号は、音声処理部１５に供給されると所定の音声処理を受けた後に音声出力装置１７に供給される。これにより、ユーザはＳＨＦの第１チャンネル（ＢＳ１）で放送されているサービスＩＤ１５１ｃｈのＢＳデジタルテレビジョン放送の番組を視聴することができる。
【００７７】
図３は、本実施の形態のデジタル放送受信装置のチューナー回路と復調回路の概略図を示す。本実施の形態のデジタル放送受信装置では、地上デジタル放送用チューナー回路２１と、衛星デジタル放送用チューナー回路２２と、その２方式の受信信号のＩＦ（中間周波）信号４１，４４を復調することができる復調回路２３の３つの回路を搭載する。
【００７８】
この２方式の受信信号のＩＦ（中間周波）信号４１，４４は、いずれもアナログ信号であるため、復調回路２３の前処理でＡ／Ｄ変換回路３５，３７によりデジタル信号に変換される。変換されたデジタル信号に対して復調回路２３が復調処理を施す。復調回路２３には、回路内部の制御を行うために地上デジタル放送用チューナー回路制御ブロック２４と、衛星デジタル放送用チューナー回路制御ブロック２５とが設けられている。
【００７９】
このとき、地上デジタル放送用チューナー回路制御ブロック２４と、衛星デジタル放送用チューナー回路制御ブロック２５には、ＡＧＣ（Automatic Gain Control）３６，３８が設けられている。ＡＧＣ３６，３８のＡＧＣ信号は、端子２６、２８を介して、地上デジタル放送用チューナー回路２１と、衛星デジタル放送用チューナー回路２２とにそれぞれフィードバックされている。チューナー回路２１内にある中間周波数増幅回路と、チューナー回路２２内にある中間周波数増幅回路にＡＧＣ信号が渡され、それぞれの増幅回路で自動的に最適な振幅となるように制御する。ＩＦ信号の振幅が最適になる制御を行った結果、Ａ／Ｄ変換回路３５，３７のダイナミックレンジＤＲを広げる効果がある。
【００８０】
また、各種設定データなどのシリアル通信信号４０、４３は、切替回路Ｂ（３１）、端子Ｂ（２７）、端子Ｄ（２９）を介して、地上デジタル放送用チューナー回路２１と衛星デジタル放送用チューナー回路２２の選局又は通過帯域を制御するものである。
【００８１】
また、シリアル通信信号４０、４３は、地上デジタル放送用チューナー回路２１及び衛星デジタル放送用チューナー回路２２と、地上デジタル放送用チューナー回路制御ブロック２４及び衛星デジタル放送用チューナー回路制御ブロック２５との間で双方向に通信可能とされている。
【００８２】
すなわち、図３において、本実施の形態のデジタル放送受信装置は、地上デジタル放送と衛星デジタル放送の２つの放送方式を受信できる復調回路２３と、地上デジタル放送用チューナー回路２１と、衛星デジタル放送用チューナー回路２２の他に、ホストＣＰＵ３４とにより構成される。ホストＣＰＵ３４は、切替回路Ａ（３０）及び切替回路Ｂ（３１）の接続状態を切り替える機能を有している。
【００８３】
ここで、復調回路２３は、地上デジタル放送用チューナー制御ブロック２４と衛星デジタルチューナー制御ブロック２５と、切替回路Ａ（３０）と、切替回路Ｂ（３１）とを備えている。切替回路Ａ（３０）と切替回路Ｂ（３１）は、切替信号Ａ（３２）と切替信号Ｂ（３３）を介して、ホストＣＰＵ（３４）と接続されている。
【００８４】
復調回路２３の端子Ａ（２６）、端子Ｃ（２８）は、地上デジタル放送用チューナー回路２１と、衛星デジタル放送用チューナー回路２２にフィードバックされるＡＧＣ信号（自動ゲイン制御信号）３９、４２を出力する端子である。
【００８５】
復調回路２３の端子Ｂ（２７）、端子Ｄ（２９）は、地上デジタル放送用チューナー回路２１と、衛星デジタル放送用チューナー回路２２にフィードバックされるシリアル通信信号４０、４３用の端子である。
【００８６】
以下に、チューナー回路の配置と端子の位置との関係を示す。
ここで、図３に示すように、地上デジタル放送用チューナー回路２１が、端子Ａ（２６）と端子Ｂ（２７）の近くに配置され、衛星デジタル放送用チューナー回路２２が端子Ｃ（２８）と端子Ｄ（２９）の近くに配置された場合は以下のようになる。
【００８７】
図１３は、ホストＣＰＵからの切替信号により切り替えた制御信号と出力端子の関係を示す図である。
この場合、図１３の項番１２１の「１」のように、ホストＣＰＵ３４から切替信号Ａ（３２）と切替信号Ｂ（３３）を介して切替回路Ａ（３０）と、切替回路Ｂ（３１）の切替状態の設定をする。
【００８８】
すなわち、切替信号Ａ（３２）は「０」、切替信号Ｂ（３３）も「０」のとき、端子Ａ（２６）は地上デジタル放送用チューナー向けＡＧＣ信号、端子Ｂ（２７）は地上デジタル放送用チューナー向けシリアル通信信号、端子Ｃ（２８）は衛星デジタル放送用チューナー向けＡＧＣ信号、端子Ｄ（２９）は衛星デジタル放送用チューナー向けシリアル通信信号となる。
【００８９】
これによって、端子Ａ（２６）、端子Ｂ（２７）、端子Ｃ（２８）、端子Ｄ（２９）、の端子状態を決めることができ、２つのチューナー回路向けのＡＧＣ信号３９、４２、シリアル通信信号４０、４３の配線が容易になる。
【００９０】
その時の切替回路Ａ（３０）と、切替回路Ｂ（３１）の接続状態を図４に示す。
図４において、切替回路Ａ（３０）では、ＡＧＣ３６が端子Ａ（２６）に接続され、ＡＧＣ３８が端子Ｃ（２８）に接続される。切替回路Ｂ（３１）では、地上デジタル放送用チューナー制御ブロック２４が端子Ｂ（２７）  に接続され、衛星デジタルチューナー制御ブロック２５が端子Ｄ（２９）に接続される。
【００９１】
また、衛星デジタル放送用チューナー回路２２が、端子Ａ（２６）と端子Ｂ（２７）の近くに配置され、地上デジタル放送用チューナー回路２１が端子Ｃ（２８）と端子Ｄ（２９）の近くに配置された場合は以下のようになる。
この場合、図１２の項番１２１の「４」のように、ホストＣＰＵ３４から切替信号Ａ（３２）と切替信号Ｂ（３３）を介して切替回路Ａ（３０）と、切替回路Ｂ（３１）の切替状態の設定をする。
【００９２】
すなわち、切替信号Ａ（３２）は「１」、切替信号Ｂ（３３）も「１」のとき、端子Ａ（２６）は衛星デジタル放送用チューナー向けＡＧＣ信号、端子Ｂ（２７）は衛星デジタル放送用チューナー向けシリアル通信信号、端子Ｃ（２８）は地上デジタル放送用チューナー向けＡＧＣ信号、端子Ｄ（２９）は地上デジタル放送用チューナー向けシリアル通信信号となる。
【００９３】
これによって、端子Ａ（２６）、端子Ｂ（２７）、端子Ｃ（２８）、端子Ｄ（２９）、の端子状態を決めることができ、２つのチューナー回路向けのＡＧＣ信号３９、４２、シリアル通信信号４０、４３の配線が容易になる。
【００９４】
その時の切替回路Ａ（３０）と、切替回路Ｂ（３１）の切替接続状態を図５に示す。
図５において、切替回路Ａ（３０）では、ＡＧＣ３６が端子Ｃ（２８）に接続され、ＡＧＣ３８が端子Ａ（２６）に接続される。切替回路Ｂ（３１）では、地上デジタル放送用チューナー制御ブロック２４が端子Ｄ（２９）に接続され、衛星デジタルチューナー制御ブロック２５が端子Ｂ（２７）に接続される。
【００９５】
次に、衛星デジタル放送用チューナー回路２２と地上デジタル放送用チューナー回路２１が横に並ぶ場合を説明する。
また、衛星デジタル放送用チューナー回路２２が、端子Ａ（２６）と端子Ｄ（２９）の近くに配置され、地上デジタル放送用チューナー回路２１が端子Ｂ（２７）と端子Ｃ（２８）の近くに配置された場合は以下のようになる。
【００９６】
衛星デジタル放送用チューナー回路２２が地上デジタル放送用チューナー回路２１の左横に並ぶ場合である。また、衛星デジタル放送用チューナー回路２２の端子が上下の端辺に位置し、地上デジタル放送用チューナー回路２１の端子が右の端辺に位置する場合である。図６に、衛星デジタル放送用チューナー回路２２が地上デジタル放送用チューナー回路２１の左横に並ぶ場合の切替回路Ａ（３０）と、切替回路Ｂ（３１）の切替接続状態を示す。
この場合、図１３の項番１２１の「２」のように、ホストＣＰＵ３４から切替信号Ａ（３２）と切替信号Ｂ（３３）を介して切替回路Ａ（３０）と、切替回路Ｂ（３１）の切替状態の設定をする。
【００９７】
すなわち、切替信号Ａ（３２）は「１」、切替信号Ｂ（３３）が「０」のとき、端子Ａ（２６）は衛星デジタル放送用チューナー向けＡＧＣ信号、端子Ｂ（２７）は地上デジタル放送用チューナー向けシリアル通信信号、端子Ｃ（２８）は地上デジタル放送用チューナー向けＡＧＣ信号、端子Ｄ（２９）  は衛星デジタル放送用チューナー向けシリアル通信信号となる。
これによって、端子Ａ（２６）、端子Ｂ（２７）、端子Ｃ（２８）、端子Ｄ（２９）、の端子状態を決めることができ、２つのチューナー回路向けのＡＧＣ信号３９、４２、シリアル通信信号４０、４３の配線が容易になる。
【００９８】
また、衛星デジタル放送用チューナー回路２２が、端子Ｂ（２７）と端子Ｃ（２８）の近くに配置され、地上デジタル放送用チューナー回路２１が端子Ａ（２６）と端子Ｄ（２９）の近くに配置された場合は以下のようになる。衛星デジタル放送用チューナー回路２２が地上デジタル放送用チューナー回路２１の右横に並ぶ場合である。また、地上デジタル放送用チューナー回路２１の端子が上下の端辺に位置し、衛星デジタル放送用チューナー回路２２の端子が右の端辺に位置する場合である。図６と、衛星デジタル放送用チューナー回路２２が地上デジタル放送用チューナー回路２１の左右の配置が逆になる場合である。
【００９９】
この場合、図１３の項番１２１の「３」のように、ホストＣＰＵ３４から切替信号Ａ（３２）と切替信号Ｂ（３３）を介して切替回路Ａ（３０）と、切替回路Ｂ（３１）の切替状態の設定をする。
すなわち、切替信号Ａ（３２）は「０」、切替信号Ｂ（３３）が「１」のとき、端子Ａ（２６）は地上デジタル放送用チューナー向けＡＧＣ信号、端子Ｂ（２７）は衛星デジタル放送用チューナー向けシリアル通信信号、端子Ｃ（２８）は衛星デジタル放送用チューナー向けＡＧＣ信号、端子Ｄ（２９）は地上デジタル放送用チューナー向けシリアル通信信号となる。
【０１００】
これによって、端子Ａ（２６）、端子Ｂ（２７）、端子Ｃ（２８）、端子Ｄ（２９）、の端子状態を決めることができ、２つのチューナー回路向けのＡＧＣ信号３９、４２、シリアル通信信号４０、４３の配線が容易になる。
【０１０１】
図７は、本実施の形態の他のデジタル放送受信装置のチューナー回路と復調回路の概略図を示す。本実施の形態の他のデジタル放送受信装置では、地上デジタル放送用チューナー回路５１と、衛星デジタル放送用チューナー回路５２と、その２方式の受信信号のＩＦ（中間周波）信号７２，７５を復調することができる復調回路５３の３つの回路を搭載する。
【０１０２】
この２方式の受信信号のＩＦ（中間周波）信号７２，７５は、いずれもアナログ信号であるため、復調回路５３の前処理でＡ／Ｄ変換回路６６，６８によりデジタル信号に変換される。変換されたデジタル信号に対して復調回路５３が復調処理を施す。復調回路５３には、回路内部の制御を行うために地上デジタル放送用チューナー回路制御ブロック５４と、衛星デジタル放送用チューナー回路制御ブロック５５とが設けられている。
【０１０３】
このとき、地上デジタル放送用チューナー回路制御ブロック５４と、衛星デジタル放送用チューナー回路制御ブロック５５には、ＡＧＣ（Automatic Gain Control）６７，６９が設けられている。ＡＧＣ６７，６９のＡＧＣ信号は、端子５６、５８を介して、地上デジタル放送用チューナー回路５１と、衛星デジタル放送用チューナー回路５２とにそれぞれフィードバックされている。チューナー回路５１内にある中間周波数増幅回路と、チューナー回路５２内にある中間周波数増幅回路にＡＧＣ信号が渡され、それぞれの増幅回路で自動的に最適な振幅となるように制御する。ＩＦ信号の振幅が最適になる制御を行った結果、Ａ／Ｄ変換回路６６，６８のダイナミックレンジＤＲを広げる効果がある。
【０１０４】
また、各種設定データなどのシリアル通信信号７１、７４は、切替回路Ｂ（６１）、端子Ｂ（５７）、端子Ｄ（５９）を介して、地上デジタルチューナー回路５１と衛星デジタルチューナー回路５２の選局又は通過帯域を制御するものである。
【０１０５】
また、シリアル通信信号７１、７４は、地上デジタル放送用チューナー回路５１及び衛星デジタル放送用チューナー回路５２と、地上デジタル放送用チューナー回路制御ブロック５４及び衛星デジタル放送用チューナー回路制御ブロック５５との間で双方向に通信可能とされている。
【０１０６】
すなわち、図７において、本実施の形態の他のデジタル放送受信装置は、地上デジタル放送と衛星デジタル放送の２つの放送方式を受信できる復調回路５３と、地上デジタル放送用チューナー回路５１と、衛星デジタル放送用チューナー回路５２の他に、端子及び端子に所定の電位を付与する外部回路を有して構成される。この端子及び外部回路は、切替回路Ａ（３０）及び切替回路Ｂ（３１）の接続状態を切り替える機能を有している。
【０１０７】
ここで、復調回路５３は、地上デジタル放送用チューナー制御ブロック５４と衛星デジタルチューナー制御ブロック５５と、切替回路Ａ（６０）と、切替回路Ｂ（６１）とを有する。
切替回路Ａ（６０）と切替回路Ｂ（６１）は、復調回路５３の端子Ｅ（６４）、端子Ｆ（６５）経由で切替信号Ａ（６２）と切替信号Ｂ（６３）を介して外部回路に接続されている。ここでの外部回路は切替信号Ａ（６２）と切替信号Ｂ（６３）の電位を論理的に”Ｈ（ハイレベル）”状態と、”Ｌ（ローレベル）”状態を選択できる回路となっている。
【０１０８】
例えば、外部回路は、スイッチＳＷ１の可動接点ａを、固定接点ｂ（＋電源）、又はｃ（グランドレベル）に切り替えて接続することにより、切替信号Ａ（６２）に所定の電位を付与する。また、スイッチＳＷ２の可動接点ａを、固定接点ｂ（＋電源）、又はｃ（グランドレベル）に切り替えて接続することにより、切替信号Ｂ（６３）に所定の電位を付与する。
【０１０９】
復調回路５３の端子Ａ（５６）、端子Ｃ（５８）は、地上デジタル放送用チューナー回路５１と、衛星デジタル放送用チューナー回路５２にフィードバックされるＡＧＣ信号（自動ゲイン制御信号）７０，７３を出力する端子である。
復調回路２３の端子Ｂ（５７）、端子Ｄ（５９）は、地上デジタル放送用チューナー回路５１と、衛星デジタル放送用チューナー回路５２にフィードバックされるシリアル通信信号７１、７４用の端子である。
【０１１０】
以下に、チューナー回路の配置と端子の位置との関係を示す。
ここで、図７に示すように、地上デジタル放送用チューナー回路５１が、端子Ａ（５６）と端子Ｂ（５７）の近くに配置され、衛星デジタル放送用チューナー回路５２が端子Ｃ（５８）と端子Ｄ（５９）の近くに配置された場合は以下のようになる。
【０１１１】
図１４は、切替信号により設定された端子状態により切り替えた制御信号と出力端子の関係を示す図である。
この場合、図１４の項番１３１の「１」のように、外部回路から端子Ｅ（６４）、端子Ｆ（６５）への切替信号Ａ（６２）と切替信号Ｂ（６３）を介して切替回路Ａ（６０）と、切替回路Ｂ（６１）の切替状態の設定をする。
【０１１２】
すなわち、切替信号Ａ（６２）は「Ｌ」、切替信号Ｂ（６３）も「Ｌ」のとき、端子Ａ（５６）は地上デジタル放送用チューナー向けＡＧＣ信号、端子Ｂ（５７）は地上デジタル放送用チューナー向けシリアル通信信号、端子Ｃ（５８）は衛星デジタル放送用チューナー向けＡＧＣ信号、端子Ｄ（５９）は衛星デジタル放送用チューナー向けシリアル通信信号となる。
【０１１３】
これによって、端子Ａ（５６）、端子Ｂ（５７）、端子Ｃ（５８）、端子Ｄ（５９）、の端子状態を決めることができ、２つのチューナー回路向けのＡＧＣ信号７０、７３、シリアル通信信号７１、７４の配線が容易になる。
【０１１４】
その時の切替回路Ａ（６０）と、切替回路Ｂ（６１）の接続状態を図８に示す。
図８において、切替回路Ａ（６０）では、ＡＧＣ６７が端子Ａ（５６）に接続され、ＡＧＣ６９が端子Ｃ（５８）に接続される。切替回路Ｂ（６１）では、地上デジタル放送用チューナー制御ブロック５４が端子Ｂ（５７）に接続され、衛星デジタルチューナー制御ブロック５５が端子Ｄ（５９）に接続される。
【０１１５】
また、衛星デジタル放送用チューナー回路５１が、端子Ａ（５６）と端子Ｂ（５７）の近くに配置され、地上デジタル放送用チューナー回路５２が端子Ｃ（５８）と端子Ｄ（５９）の近くに配置された場合は以下のようになる。
この場合、図１４の項番１３１の「４」のように、外部回路から端子Ｅ（６４）、端子Ｆ（６５）への切替信号Ａ（６２）と切替信号Ｂ（６３）を介して切替回路Ａ（６０）と、切替回路Ｂ（６１）の切替状態の設定をする。
【０１１６】
すなわち、切替信号Ａ（６２）は「Ｈ」、切替信号Ｂ（６３）も「Ｈ」のとき、端子Ａ（５６）は衛星デジタル放送用チューナー向けＡＧＣ信号、端子Ｂ（５７）は衛星デジタル放送用チューナー向けシリアル通信信号、端子Ｃ（５８）は地上デジタル放送用チューナー向けＡＧＣ信号、端子Ｄ（５９）は地上デジタル放送用チューナー向けシリアル通信信号となる。
【０１１７】
これによって、端子Ａ（５６）、端子Ｂ（５７）、端子Ｃ（５８）、端子Ｄ（５９）、の端子状態を決めることができ、２つのチューナー回路向けのＡＧＣ信号７０、７３、シリアル通信信号７１、７４の配線が容易になる。
【０１１８】
その時の切替回路Ａ（６０）と、切替回路Ｂ（６１）の切替接続状態を図９に示す。
図９において、切替回路Ａ（６０）では、ＡＧＣ６７が端子Ｃ（５８）に接続され、ＡＧＣ６９が端子Ａ（５６）に接続される。切替回路Ｂ（６１）では、地上デジタル放送用チューナー制御ブロック５４が端子Ｄ（５９）に接続され、衛星デジタルチューナー制御ブロック５５が端子Ｂ（５７）に接続される。
【０１１９】
これによって、外部回路から端子Ｅ（６４）、端子Ｆ（６５）への切替信号Ａ（６２）と切替信号Ｂ（６３）を介して切替回路Ａ（６０）と、切替回路Ｂ（６１）の切替状態の設定をすることによって、端子Ａ（５６）、端子Ｂ（５７）、端子Ｃ（５８）、端子Ｄ（５９）、の端子状態を決めることができ、２つのチューナー回路向けのＡＧＣ信号７０、７３、シリアル通信信号７１、７４の配線が容易になる。
【０１２０】
次に、衛星デジタル放送用チューナー回路５２と地上デジタル放送用チューナー回路５１が横に並ぶ場合を説明する。
ここで、衛星デジタル放送用チューナー回路５２が、端子Ａ（５６）と端子Ｄ（５９）の近くに配置され、地上デジタル放送用チューナー回路５１が端子Ｂ（５７）と端子Ｃ（５８）の近くに配置された場合は以下のようになる。衛星デジタル放送用チューナー回路５２が地上デジタル放送用チューナー回路５１の左横に並ぶ場合である。また、衛星デジタル放送用チューナー回路５２の端子が上下の端辺に位置し、地上デジタル放送用チューナー回路５１の端子が右の端辺に位置する場合である。図６に示した、衛星デジタル放送用チューナー回路２２が地上デジタル放送用チューナー回路２１の左横に並ぶ場合の切替回路Ａ（３０）と、切替回路Ｂ（３１）の切替接続状態と同様の場合である。
【０１２１】
この場合、図１４の項番１３１の「２」のように、外部回路から端子Ｅ（６４）、端子Ｆ（６５）への切替信号Ａ（６２）と切替信号Ｂ（６３）を介して切替回路Ａ（６０）と、切替回路Ｂ（６１）の切替状態の設定をする。
【０１２２】
すなわち、切替信号Ａ（６２）は「Ｈ」、切替信号Ｂ（６３）が「Ｌ」のとき、端子Ａ（５６）は衛星デジタル放送用チューナー向けＡＧＣ信号、端子Ｂ（５７）は地上デジタル放送用チューナー向けシリアル通信信号、端子Ｃ（５８）は地上デジタル放送用チューナー向けＡＧＣ信号、端子Ｄ（５９）は衛星デジタル放送用チューナー向けシリアル通信信号となる。
【０１２３】
これによって、端子Ａ（５６）、端子Ｂ（５７）、端子Ｃ（５８）、端子Ｄ（５９）、の端子状態を決めることができ、２つのチューナー回路向けのＡＧＣ信号７０、７３、シリアル通信信号７１、７４の配線が容易になる。
【０１２４】
また、衛星デジタル放送用チューナー回路５２が、端子Ｂ（５７）と端子Ｃ（５８）の近くに配置され、地上デジタル放送用チューナー回路５１が端子Ａ（５６）と端子Ｄ（５９）の近くに配置された場合は以下のようになる。衛星デジタル放送用チューナー回路５２が地上デジタル放送用チューナー回路５１の右横に並ぶ場合である。また、地上デジタル放送用チューナー回路５１の端子が上下の端辺に位置し、衛星デジタル放送用チューナー回路５２の端子が右の端辺に位置する場合である。図６に示した、衛星デジタル放送用チューナー回路２２と地上デジタル放送用チューナー回路２１の左右の配置が逆になる状態と同様の場合である。
【０１２５】
この場合、図１４の項番１３１の「３」のように、外部回路から端子Ｅ（６４）、端子Ｆ（６５）への切替信号Ａ（６２）と切替信号Ｂ（６３）を介して切替回路Ａ（６０）と、切替回路Ｂ（６１）の切替状態の設定をする。
【０１２６】
すなわち、切替信号Ａ（６２）は「Ｌ」、切替信号Ｂ（６３）が「Ｈ」のとき、端子Ａ（５６）は地上デジタル放送用チューナー向けＡＧＣ信号、端子Ｂ（５７）は衛星デジタル放送用チューナー向けシリアル通信信号、端子Ｃ（５８）は衛星デジタル放送用チューナー向けＡＧＣ信号、端子Ｄ（５９）  は地上デジタル放送用チューナー向けシリアル通信信号となる。
【０１２７】
これによって、端子Ａ（５６）、端子Ｂ（５７）、端子Ｃ（５８）、端子Ｄ（５９）、の端子状態を決めることができ、２つのチューナー回路向けのＡＧＣ信号７０、７３、シリアル通信信号７１、７４の配線が容易になる。
【０１２８】
図１０は、本実施の形態の他のデジタル放送受信装置のチューナー回路と復調回路の概略図を示す。本実施の形態の他のデジタル放送受信装置では、地上デジタル放送用チューナー回路８１と、衛星デジタル放送用チューナー回路８２と、その２方式の受信信号のＩＦ（中間周波）信号１０３，１０６を復調することができる復調回路８３の３つの回路を搭載する。
【０１２９】
この２方式の受信信号のＩＦ（中間周波）信号１０３，１０６は、いずれもアナログ信号であるため、復調回路８３の前処理でＡ／Ｄ変換回路９７，９９によりデジタル信号に変換される。変換されたデジタル信号に対して復調回路８３が復調処理を施す。復調回路８３には、回路内部の制御を行うために地上デジタル放送用チューナー回路制御ブロック８４と、衛星デジタル放送用チューナー回路制御ブロック８５とが設けられている。
【０１３０】
このとき、地上デジタル放送用チューナー回路制御ブロック８４と、衛星デジタル放送用チューナー回路制御ブロック８５には、ＡＧＣ（Automatic Gain Control）９８，１００が設けられている。ＡＧＣ９８，１００のＡＧＣ信号は、端子８６、８８を介して、地上デジタル放送用チューナー回路８１と、衛星デジタル放送用チューナー回路８２とにそれぞれフィードバックされている。チューナー回路８１内にある中間周波数増幅回路と、チューナー回路８２内にある中間周波数増幅回路にＡＧＣ信号が渡され、それぞれの増幅回路で自動的に最適な振幅となるように制御する。ＩＦ信号の振幅が最適になる制御を行った結果、Ａ／Ｄ変換回路９７，９９のダイナミックレンジＤＲを広げる効果がある。
【０１３１】
また、各種設定データなどのシリアル通信信号１０２、１０５は、切替回路Ｂ（９１）、端子Ｂ（８７）、端子Ｄ（８９）を介して、地上デジタルチューナー回路８１と衛星デジタルチューナー回路８２の選局又は通過帯域を制御するものである
【０１３２】
また、シリアル通信信号１０２、１０５は、地上デジタル放送用チューナー回路８１及び衛星デジタル放送用チューナー回路８２と、地上デジタル放送用チューナー回路制御ブロック８４及び衛星デジタル放送用チューナー回路制御ブロック８５との間で双方向に通信可能とされている。
【０１３３】
すなわち、図１０において、本実施の形態の他のデジタル放送受信装置は、地上デジタル放送と衛星デジタル放送の２つの放送方式を受信できる復調回路８３と、地上デジタル放送用チューナー回路８１と、衛星デジタル放送用チューナー回路８２の他に、Ｉ２ＣＩ／Ｆブロック９４とホストＣＰＵ９６とにより構成される。Ｉ２ＣＩ／Ｆブロック９４とホストＣＰＵ９６は、切替回路Ａ（９０）及び切替回路Ｂ（９１）の接続状態を切り替える機能を有している。
【０１３４】
ここで、復調回路８３は、地上デジタル放送用チューナー制御ブロック８４と衛星デジタルチューナー制御ブロック８５と、切替回路Ａ（９０）と、切替回路Ｂ（９１）と、Ｉ２ＣＩ／Ｆブロック９４を備えている。切替回路Ａ（９０）と切替回路Ｂ（９１）は、切替信号Ａ（９２）と切替信号Ｂ（９３）及びＩ２ＣＩ／Ｆブロック９４と接続されている。Ｉ２ＣＩ／Ｆブロック９４は、Ｉ２Ｃ通信９５を介して、ホストＣＰＵ９６と接続されている。
【０１３５】
復調回路８３の端子Ａ（８６）、端子Ｃ（８８）は、地上デジタル放送用チューナー回路８１と、衛星デジタル放送用チューナー回路８２にフィードバックされるＡＧＣ信号（自動ゲイン制御信号）１０１、１０４を出力する端子である。
【０１３６】
復調回路８３の端子Ｂ（８７）、端子Ｄ（８９）は、地上デジタル放送用チューナー回路８１と、衛星デジタル放送用チューナー回路８２にフィードバックされるシリアル通信信号１０２、１０５用の端子である。
【０１３７】
以下に、チューナー回路の配置と端子の位置との関係を示す。
ここで、図１０に示すように、地上デジタル放送用チューナー回路８１が、端子Ａ（８６）と端子Ｂ（８７）の近くに配置され、衛星デジタル放送用チューナー回路８２が端子Ｃ（８８）と端子Ｄ（８９）の近くに配置された場合は以下のようになる。
【０１３８】
図１５は、ホストＣＰＵからの設定でＩ２ＣＩ／Ｆブロックからの切替信号により切り替えた制御信号と出力端子の関係を示す図である。
この場合、図１５の項番１４１の「１」のように、ホストＣＰＵ９６からＩ２Ｃ通信９５でＩ２ＣＩ／Ｆブロック９４に設定した切替信号Ａ（９２）と切替信号Ｂ（９３）を介して、端子Ａ（８６）、端子Ｂ（８７）、端子Ｃ（８８）、端子Ｄ（８９）、の端子状態を決めることができ、２つのチューナー回路向けのＡＧＣ信号１０１、１０４、シリアル通信信号１０２、１０５の配線が容易になる。
【０１３９】
その時の切替回路Ａ（９０）と、切替回路Ｂ（９１）の接続状態を図１１に示す。
図１１において、切替回路Ａ（９０）では、ＡＧＣ９８が端子Ａ（８６）に接続され、ＡＧＣ１００が端子Ｃ（８８）に接続される。切替回路Ｂ（９１）では、地上デジタル放送用チューナー制御ブロック８４が端子Ｂ（８７）に接続され、衛星デジタルチューナー制御ブロック８５が端子Ｄ（９９）に接続される。
【０１４０】
また、衛星デジタル放送用チューナー回路８１が、端子Ａ（８６）と端子Ｂ（８７）の近くに配置され、地上デジタル放送用チューナー回路８２が端子Ｃ（８８）と端子Ｄ（８９）の近くに配置された場合は以下のようになる。
【０１４１】
この場合、図１５の項番１４１の「４」のように、ホストＣＰＵ９６からＩ２Ｃ通信９５でＩ２ＣＩ／Ｆブロック９４に設定した切替信号Ａ（９２）と切替信号Ｂ（９３）を介して切替回路Ａ（９０）と、切替回路Ｂ（９１）の切替状態の設定をする。
【０１４２】
すなわち、切替信号Ａ（９２）は「１」、切替信号Ｂ（９３）も「１」のとき、端子Ａ（８６）は衛星デジタル放送用チューナー向けＡＧＣ信号、端子Ｂ（８７）は衛星デジタル放送用チューナー向けシリアル通信信号、端子Ｃ（８８）は地上デジタル放送用チューナー向けＡＧＣ信号、端子Ｄ（８９）は地上デジタル放送用チューナー向けシリアル通信信号となる。
【０１４３】
これによって、端子Ａ（８６）、端子Ｂ（８７）、端子Ｃ（８８）、端子Ｄ（８９）、の端子状態を決めることができ、２つのチューナー回路向けのＡＧＣ信号１０１、１０４、シリアル通信信号１０２、１０５の配線が容易になる。
【０１４４】
その時の切替回路Ａ（９０）と、切替回路Ｂ（９１）の切替接続状態を図１２に示す。
図１２において、切替回路Ａ（９０）では、ＡＧＣ９８が端子Ｃ（８８）に接続され、ＡＧＣ１００が端子Ａ（８６）に接続される。切替回路Ｂ（９１）では、地上デジタル放送用チューナー制御ブロック８４が端子Ｄ（８９）に接続され、衛星デジタルチューナー制御ブロック８５が端子Ｂ（８７）に接続される。
【０１４５】
これによって、ホストＣＰＵ９６からＩ２Ｃ通信９５でＩ２ＣＩ／Ｆブロック９４に設定した切替信号Ａ（９２）と切替信号Ｂ（９３）を介して切替回路Ａ（９０）と、切替回路Ｂ（９１）の切替状態の設定をすることによって、端子Ａ（８６）、端子Ｂ（８７）、端子Ｃ（８８）、端子Ｄ（８９）、の端子状態を決めることができる。従って、２つのチューナー回路向けのＡＧＣ信号１０１、１０４、シリアル通信信号１０２、１０５の配線が容易になる。
【０１４６】
次に、衛星デジタル放送用チューナー回路８２と地上デジタル放送用チューナー回路８１が横に並ぶ場合を説明する。
ここで、衛星デジタル放送用チューナー回路８２が、端子Ａ（８６）と端子Ｄ（８９）の近くに配置され、地上デジタル放送用チューナー回路８１が端子Ｂ（８７）と端子Ｃ（８８）の近くに配置された場合は以下のようになる。衛星デジタル放送用チューナー回路８２が地上デジタル放送用チューナー回路８１の左横に並ぶ場合である。また、衛星デジタル放送用チューナー回路８２の端子が上下の端辺に位置し、地上デジタル放送用チューナー回路８１の端子が右の端辺に位置する場合である。図６に示した、衛星デジタル放送用チューナー回路２２が地上デジタル放送用チューナー回路２１の左横に並ぶ場合の切替回路Ａ（３０）と、切替回路Ｂ（３１）の切替接続状態と同様の場合である。
【０１４７】
この場合、図１５の項番１４１の「２」のように、ホストＣＰＵ９６からＩ２Ｃ通信９５でＩ２ＣＩ／Ｆブロック９４に設定した切替信号Ａ（９２）と切替信号Ｂ（９３）を介して切替回路Ａ（９０）と、切替回路Ｂ（９１）の切替状態の設定をする。
【０１４８】
すなわち、切替信号Ａ（９２）は「１」、切替信号Ｂ（９３）が「０」のとき、端子Ａ（８６）は衛星デジタル放送用チューナー向けＡＧＣ信号、端子Ｂ（８７）は地上デジタル放送用チューナー向けシリアル通信信号、端子Ｃ（８８）は地上デジタル放送用チューナー向けＡＧＣ信号、端子Ｄ（８９）は衛星デジタル放送用チューナー向けシリアル通信信号となる。
【０１４９】
これによって、端子Ａ（８６）、端子Ｂ（８７）、端子Ｃ（８８）、端子Ｄ（８９）、の端子状態を決めることができ、２つのチューナー回路向けのＡＧＣ信号１０１、１０４、シリアル通信信号１０２、１０５の配線が容易になる。
【０１５０】
また、衛星デジタル放送用チューナー回路８２が、端子Ｂ（８７）と端子Ｃ（８８）の近くに配置され、地上デジタル放送用チューナー回路８１が端子Ａ（８６）と端子Ｄ（８９）の近くに配置された場合は以下のようになる。衛星デジタル放送用チューナー回路８２が地上デジタル放送用チューナー回路８１の右横に並ぶ場合である。また、地上デジタル放送用チューナー回路８１の端子が上下の端辺に位置し、衛星デジタル放送用チューナー回路８２の端子が右の端辺に位置する場合である。図６に示した、衛星デジタル放送用チューナー回路２２と地上デジタル放送用チューナー回路２１の左右の配置が逆になる状態と同様の場合である。
【０１５１】
この場合、図１５の項番１４１の「３」のように、ホストＣＰＵ９６からＩ２Ｃ通信９５でＩ２ＣＩ／Ｆブロック９４に設定した切替信号Ａ（９２）と切替信号Ｂ（９３）を介して切替回路Ａ（９０）と、切替回路Ｂ（９１）の切替状態の設定をする。
【０１５２】
すなわち、切替信号Ａ（９２）は「０」、切替信号Ｂ（９３）が「１」のとき、端子Ａ（８６）は地上デジタル放送用チューナー向けＡＧＣ信号、端子Ｂ（８７）は衛星デジタル放送用チューナー向けシリアル通信信号、端子Ｃ（８８）は衛星デジタル放送用チューナー向けＡＧＣ信号、端子Ｄ（８９）は地上デジタル放送用チューナー向けシリアル通信信号となる。
【０１５３】
これによって、端子Ａ（８６）、端子Ｂ（８７）、端子Ｃ（８８）、端子Ｄ（８９）、の端子状態を決めることができ、２つのチューナー回路向けのＡＧＣ信号１０１、１０４、シリアル通信信号１０２、１０５の配線が容易になる。
【０１５４】
上述した本実施の形態によれば、地上デジタル放送用チューナー回路、衛星デジタル放送用チューナー回路、復調回路の配置を自由にすることがきる。従って、３つの回路の配置の変更により、各回路の端子の向きが異なっても、何ら制限なく３つの回路間の制御信号の配線を実施することができる。
【０１５５】
また、本実施の形態によって、配線の引き回しの選択性が向上することによって、システム全体の小型化、低価格化に貢献することができる。
【０１５６】
なお、上述した本実施の形態例に限らず、本発明の要旨を逸脱しない限り、適宜変更しうることは言うまでもない。
【図面の簡単な説明】
【０１５７】
【図１】本発明の一実施の形態によるデジタル放送受信装置を示すブロック図である。
【図２】地上デジタルチューナーの内部構成例を示すブロック図である。
【図３】本実施の形態のデジタル放送受信装置のチューナー回路と復調回路の概略図を示す図である。
【図４】復調回路の切替回路の切替状態を示す図である。
【図５】復調回路の切替回路の他の切替状態を示す図である。
【図６】復調回路の切替回路の他の切替状態を示す図である。
【図７】他のデジタル放送受信装置のチューナー回路と復調回路の概略図を示す図である。
【図８】他の復調回路の切替回路の切替状態を示す図である。
【図９】他の復調回路の切替回路の他の切替状態を示す図である。
【図１０】他のデジタル放送受信装置のチューナー回路と復調回路の概略図を示す図である。
【図１１】他の復調回路の切替回路の切替状態を示す図である。
【図１２】他の復調回路の切替回路の他の切替状態を示す図である。
【図１３】ホストＣＰＵからの切替信号により切り替えた制御信号と出力端子の関係を示す図である。
【図１４】切替信号により設定された端子状態により切り替えた制御信号と出力端子の関係を示す図である。
【図１５】ホストＣＰＵからの設定でＩ２ＣＩ／Ｆブロックからの切替信号により切り替えた制御信号と出力端子の関係を示す図である。
【図１６】従来の衛星デジタル放送受信装置のチューナー回路と復調回路の概略図である。
【図１７】従来の他のデジタル放送受信装置である。
【図１８】従来の他のデジタル放送受信装置である。
【符号の説明】
【０１５８】
３…地上デジタルチューナー、１０…衛星デジタルチューナー、２１…地上デジタル放送用チューナー回路、２２…衛星デジタル放送用チューナー回路、２３…復調回路、２４…地上デジタル放送用チューナー回路制御ブロック、２５…衛星デジタル放送用チューナー回路制御ブロック、２６…端子Ａ、２７…端子Ｂ、２８…端子Ｃ、２９…端子Ｄ、３０…切替回路Ａ、３１…切替回路Ｂ、３２…切替信号Ａ、３３…切替信号Ｂ、３４…ホストＣＰＵ、３５、３７…Ａ／Ｄ変換回路、３６、３８…ＡＧＣ、３９、４２…ＡＧＣ信号、４０、４３…シリアル通信信号、４１、４４…ＩＦ信号、５１…地上デジタル放送用チューナー回路、５２…衛星デジタル放送用チューナー回路、５３…復調回路、５４…地上デジタル放送用チューナー回路制御ブロック、５５…衛星デジタル放送用チューナー回路制御ブロック、５６…端子Ａ、５７…端子Ｂ、５８…端子Ｃ、５９…端子Ｄ、６０…切替回路Ａ、６１…切替回路Ｂ、６２…切替信号Ａ、６３…切替信号Ｂ、６４…端子Ｅ、６５…端子Ｆ、６６、６８…Ａ／Ｄ変換回路、６７、６９…ＡＧＣ、７０、７３…ＡＧＣ信号、７１、７４…シリアル通信信号、７２、７５…ＩＦ信号、８１…地上デジタル放送用チューナー回路、８２…衛星デジタル放送用チューナー回路、８３…復調回路、８４…地上デジタル放送用チューナー回路制御ブロック、８５…衛星デジタル放送用チューナー回路制御ブロック、８６…端子Ａ、８７…端子Ｂ、８８…端子Ｃ、８９…端子Ｄ、９０…切替回路Ａ、９１…切替回路Ｂ、９２…切替信号Ａ、９３…切替信号Ｂ、９４…Ｉ２Ｃ  Ｉ／Ｆブロック、９５…Ｉ２Ｃ通信、９６…ホストＣＰＵ、９７、９９…Ａ／Ｄ変換回路、９８、１００…ＡＧＣ、１０１、１０４…ＡＧＣ信号、１０２、１０５…シリアル通信信号、１０３、１０６…ＩＦ信号
【図１】
0004321646.tif 000002
【図２】
0004321646.tif 000003
【図３】
0004321646.tif 000004
【図４】
0004321646.tif 000005
【図５】
0004321646.tif 000006
【図６】
0004321646.tif 000007
【図７】
0004321646.tif 000008
【図８】
0004321646.tif 000009
【図９】
0004321646.tif 000010
【図１０】
0004321646.tif 000011
【図１１】
0004321646.tif 000012
【図１２】
0004321646.tif 000013
【図１３】
0004321646.tif 000014
【図１４】
0004321646.tif 000015
【図１５】
0004321646.tif 000016
【図１６】
0004321646.tif 000017
【図１７】
0004321646.tif 000018
【図１８】
0004321646.tif 000019